(57)【要約】【課題】コネクタを挿入して所定の検査位置に位置決め保持する際に、端子や検査部に対する損傷を防止すること。【解決手段】コネクタ１０を位置決め保持可能なコネクタ受部３４を有するコネクタホルダ部３０と、コネクタホルダ部３０を初期セット位置と検査実行位置との間で移動可能に保持するホルダスライド支持部４２を有する治具本体４０と、コネクタホルダ部３０が検査実行位置に移動した状態で、コネクタ受部３４で位置決め保持されたコネクタ１０に対して検査を行うための検査部５０とを備え、コネクタホルダ部３０は、初期セット位置で、挿入されるコネクタ１０をコネクタ受部３４で位置決め保持すると共に、コネクタ受部３４でコネクタ１０を位置決め保持した状態で、初期セット位置から検査実行位置に移動する。【選択図】図２
2008311004.tif 000002
【特許請求の範囲】
【請求項１】
コネクタを所定位置に位置決め保持した状態で、前記コネクタの検査を行うためのコネクタ検査用ホルダ装置であって、
前記コネクタを位置決め保持可能なコネクタ受部を有するコネクタホルダ部と、
前記コネクタホルダ部を初期セット位置と検査実行位置との間で移動可能に保持するホルダスライド支持部を有する治具本体と、
前記コネクタの端子に電気的に接続可能なプローブピンを有し、前記コネクタホルダ部が前記検査実行位置に移動した状態で、前記コネクタ受部で位置決め保持された前記コネクタに対して前記プローブピンを通じた検査を行うための検査部と、
を備え、
前記コネクタホルダ部は、前記初期セット位置で、挿入される前記コネクタを前記コネクタ受部で位置決め保持すると共に、前記コネクタ受部で前記コネクタを位置決め保持した状態で、前記初期セット位置から前記検査実行位置に移動する、コネクタ検査用ホルダ装置。
【請求項２】
請求項１記載のコネクタ検査用ホルダ装置であって、
前記コネクタホルダ部は、前記検査実行位置に達する位置よりも手前で、前記コネクタ受部に位置決め保持されたコネクタに抜止め状に係合するロック部を有する、コネクタ検査用ホルダ装置。
【請求項３】
請求項２記載のコネクタ検査用ホルダ装置であって、
前記ロック部は、
前記コネクタホルダ部に、前記コネクタ受部に位置決め保持されたコネクタに係合可能な係合姿勢とその係合を解除した非係合姿勢との間で姿勢変更可能に支持され、
前記コネクタホルダ部が前記初期セット位置から前記検査実行位置に移動する動作に連動して、前記係合姿勢に姿勢変更する、コネクタ検査用ホルダ装置。
【請求項４】
請求項３記載のコネクタ検査用ホルダ装置であって、
前記ロック部は、
前記コネクタが前記コネクタ受部に完全挿入された状態で前記係合姿勢に姿勢変更可能で、
前記コネクタが前記コネクタ受部に不完全挿入された状態でそのコネクタに当接して前記係合姿勢に姿勢変更不能で、かつ、前記コネクタホルダ部が前記検査実行位置に移動する動作を妨げる、コネクタ検査用ホルダ装置。
【請求項５】
請求項１〜請求項４のいずれかに記載のコネクタ検査用ホルダ装置であって、
前記コネクタホルダ部が前記検査実行位置に達すると、前記コネクタには係合しないで前記コネクタホルダ部に係合して、前記コネクタホルダ部を前記検査実行位置で保持するホルダロック部をさらに備えた、コネクタ検査用ホルダ装置。
【発明の詳細な説明】
【技術分野】
【０００１】
この発明は、コネクタを所定位置で位置決め保持して検査するための技術に関する。
【背景技術】
【０００２】
従来、コネクタを所定位置に位置決め保持した状態で、コネクタの導通検査等を行う技術として、特許文献１に開示のものがある。
【０００３】
特許文献１には、コネクタ挿抜口を有する本体と、コネクタ挿抜口に収納されたコネクタの外側面をロック可能なロックレバーと、コネクタ挿入口の奥に設けられたプローブピンとを備えたコネクタホルダが開示されている。
【０００４】
そして、作業者がコネクタをコネクタ挿抜口に挿入すると、その途中でコネクタがロックレバーを開放姿勢に開き、コネクタを完全に挿入すると、ロックレバーが係止姿勢に復帰してコネクタの外側面に係合して抜止めを図るようになっている。また、この状態で、コネクタの端子とプローブピンとが電気的に接続され、当該プローブピンを通じて導通検査を行えるようになっている。
【０００５】
【特許文献１】特開２００２−２３７３５７号公報
【発明の開示】
【発明が解決しようとする課題】
【０００６】
しかしながら、上記コネクタホルダでは、作業者がコネクタ挿脱口内にコネクタを挿入する際に、コネクタに対する力の加わり加減によっては、コネクタが一方に片寄ったり、斜め姿勢になってしまうことがある。例えば、コネクタがロックレバーに当接したり、ロックレバーが係止姿勢に復帰する際等に、コネクタを片寄った方向に押圧する力が加わることがある。そして、コネクタが一方に片寄ったり、斜め姿勢になった状態で、コネクタ挿脱口の奥に挿入されると、端子とプローブピンとが位置ずれ又は相互に斜めになった状態で接触、挿入され、端子やプローブピンの損傷等を招く恐れがある。
【０００７】
特に、コネクタに対する小型化、軽量化への要請から、端子及びプローブピンの細径化が進んでおり、端子やプローブピンの損傷等を招く恐れは高くなっている。
【０００８】
また、特許文献１では、コネクタをセットする際、コネクタによってロックを押し開ける必要があるため、コネクタをセットし難い。特に、コネクタ保持安定のために２つのロックを設けたような場合や、ロックのスプリング強さを大きくしたような場合には、コネクタをセットし難い。
【０００９】
そこで、本発明の第１の課題は、コネクタを挿入して所定の検査位置に位置決め保持する際に、端子や検査部に対する損傷を防止することにある。第２の課題は、容易にコネクタをロックできるようにすることにある。
【課題を解決するための手段】
【００１０】
上記第１の課題を解決するため、第１の態様に係るコネクタ検査用ホルダ装置は、コネクタを所定位置に位置決め保持した状態で、前記コネクタの検査を行うためのコネクタ検査用ホルダ装置であって、前記コネクタを位置決め保持可能なコネクタ受部を有するコネクタホルダ部と、前記コネクタホルダ部を初期セット位置と検査実行位置との間で移動可能に保持するホルダスライド支持部を有する治具本体と、前記コネクタの端子に電気的に接続可能なプローブピンを有し、前記コネクタホルダ部が前記検査実行位置に移動した状態で、前記コネクタ受部で位置決め保持された前記コネクタに対して前記プローブピンを通じた検査を行うための検査部と、を備え、前記コネクタホルダ部は、前記初期セット位置で、挿入される前記コネクタを前記コネクタ受部で位置決め保持すると共に、前記コネクタ受部で前記コネクタを位置決め保持した状態で、前記初期セット位置から前記検査実行位置に移動するものである。
【００１１】
第２の態様は、第１の態様において、前記コネクタホルダ部は、前記検査実行位置に達する位置よりも手前で、前記コネクタ受部に位置決め保持されたコネクタに抜止め状に係合するロック部を有するものである。
【００１２】
第３の態様は、第２の課題を解決するため、第２の態様において、前記ロック部は、前記コネクタホルダ部に、前記コネクタ受部に位置決め保持されたコネクタに係合可能な係合姿勢とその係合を解除した非係合姿勢との間で姿勢変更可能に支持され、前記コネクタホルダ部が前記初期セット位置から前記検査実行位置に移動する動作に連動して、前記係合姿勢に姿勢変更するものである。
【００１３】
第４の態様は、第３の態様において、前記ロック部は、前記コネクタが前記コネクタ受部に完全挿入された状態で前記係合姿勢に姿勢変更可能で、前記コネクタが前記コネクタ受部に不完全挿入された状態でそのコネクタに当接して前記係合姿勢に姿勢変更不能で、かつ、前記コネクタホルダ部が前記検査実行位置に移動する動作を妨げるものである。
【００１４】
第５の態様は、第１〜第４のいずれかの態様において、前記コネクタホルダ部が前記検査実行位置に達すると、前記コネクタには係合しないで前記コネクタホルダ部に係合して、前記コネクタホルダ部を前記検査実行位置で保持するホルダロック部をさらに備えたものである。
【発明の効果】
【００１５】
第１の態様に係るこのコネクタ検査用ホルダ装置によると、コネクタを、初期セット位置にあるコネクタホルダ部に挿入してコネクタ受部で位置決め保持し、この状態で、コネクタホルダ部を初期セット位置から検査実行位置に移動させることで、コネクタを、検査部による検査を実行できる検査位置に位置決め保持することができる。このため、コネクタを、コネクタホルダ部によって精度よくガイドしつつ所定の検査位置に位置決め保持して端子とプローブピンとを電気的に接続でき、端子や、プローブピンを有する検査部の損傷を防止できる。
【００１６】
第２の態様によると、コネクタがコネクタ受部でロック部により抜止め状に保持された状態で、コネクタホルダ部が検査実行位置に達する。このため、コネクタをコネクタホルダ部に対してより精度よく一定位置及び一定姿勢に保った状態で、検査位置に移動させることができ、端子や検査部に対する損傷をより有効に防止することができる。
【００１７】
第３の態様によると、コネクタ又はコネクタホルダ部を押して、コネクタホルダ部を検査実行位置に移動させることで、ロック部によりコネクタを位置決め状に保持することができ、容易に作業性よくコネクタをロックできる。
【００１８】
第４の態様によると、コネクタが不完全挿入状態であると、ロック部が係合姿勢に姿勢変更不能となり、前記コネクタホルダ部が前記検査実行位置に移動する動作を妨げる。このため、コネクタが不完全挿入状態のままで、検査実行位置に移動することが抑制され、端子や検査部に対する損傷をより確実に防止することができる。
【００１９】
第５の態様によると、ホルダロック部により、コネクタホルダ部を前記検査実行位置に保持した状態で、コネクタの検査を行える。また、ホルダロック部はコネクタには係合しないので、ホルダロック部の係合時の衝撃がコネクタに直接的に加わり難く、端子や検査部に対する損傷をより確実に防止することができる。
【発明を実施するための最良の形態】
【００２０】
以下、実施形態に係るコネクタ検査用ホルダ装置について説明する。図１はコネクタ検査用ホルダ装置を示す斜視図であり、図２は図１のＩＩ−ＩＩ線における一部断面図、図３は図２のＩＩＩ−ＩＩＩ線における一部断面図である。
【００２１】
このコネクタ検査用ホルダ装置２０は、コネクタ１０を所定の検査位置に位置決め保持した状態で、当該コネクタ１０の検査を行うための装置である。コネクタ検査用ホルダ装置２０は、コネクタホルダ部３０と、治具本体４０と、検査部５０とを備えており、ブラケット２２によって所定姿勢で固定保持されている。
【００２２】
コネクタホルダ部３０は、樹脂等で形成されており、その一端部（図２及び図３の左側端部）にコネクタ１０を位置決め保持可能なコネクタ受部３４を有している。より具体的には、コネクタホルダ部３０は、略直方体ブロック状のホルダ本体部３１の両側部に、当該ホルダ本体部３１の他端側に向けてガイド側部３２が形成された構成とされている。
【００２３】
また、ホルダ本体部３１の一端部に、略長方形穴状のコネクタ受部３４が形成されている。ここで、検査対象となるコネクタ１０は、樹脂等で形成された略直方体ブロック状のコネクタ本体部１２と、金属片等で形成された複数の端子とを備えている。複数の端子は、コネクタ本体部１２の一端側である接続端側に露出する態様で、所定の配列形態で固設されており、図示省略の相手側コネクタに設けられた端子に相互接続可能とされている。複数の端子は、雌型の端子であっても、雄型の端子であってもよい。なお、各端子にはそれぞれ電線１６が接続されており、該各電線１６はコネクタ本体部１２の他端側である基端側から引出されている。
【００２４】
上記コネクタ受部３４は、上記コネクタ本体部１２の外形状に応じた内周面を有する凹形状に形成されており、その一端側開口からコネクタ本体部１２のほぼ全体をコネクタ受部３４内に挿入できるようになっている。コネクタ受部３４内にセットされたコネクタ１０は、少なくとも挿入方向前方及び挿入方向に略直交する方向で位置決め保持される。
【００２５】
また、異なる形状のコネクタ１０を当該コネクタ受部３４に挿入しようとすると、当該異なる形状のコネクタ１０の全体をコネクタ受部３４内に挿入することは困難なようになっている。なお、各図では説明を容易にするため、コネクタ本体部１２及びコネクタ受部３４の形状は単純化されている。
【００２６】
また、治具本体４０は、樹脂等で上記コネクタホルダ部３０よりも大きな略直方体ブロック状に形成されており、その内部に、上記コネクタホルダ部３０を移動可能に支持するホルダスライド支持部４２と、検査部５０を収納配置するための検査部収納部４４とを有している。
【００２７】
ホルダスライド支持部４２は、コネクタホルダ部３０を、治具本体４０の奥である検査実行位置（図１〜図３参照）と、当該検査実行位置よりも外方に引出した位置である初期セット位置（図４及び図５参照）との間で移動可能に支持する。ここでは、ホルダスライド支持部４２は、治具本体４０の一端側に開口しかつ上記コネクタホルダ部３０のホルダ本体部３１を収容可能な凹部４２ａの両側奥部に、それぞれガイド側部３２を収容可能なガイド凹部４２ｂを形成した構成とされている。そして、コネクタホルダ部３０の一端部を治具本体４０の一端側より外方に突出させた初期セット位置（図４及び図５参照）と、コネクタホルダ部３０を初期セット位置よりも奥側に移動させてコネクタホルダ部３０の一端部を治具本体４０の一端部と面一状に配設した検査実行位置（図１〜図３参照）との間で、当該コネクタホルダ部３０を移動可能に支持している。
【００２８】
そして、コネクタホルダ部３０が初期セット位置にある状態で、コネクタ受部３４にコネクタ１０を挿入することで、当該コネクタ１０をコネクタ受部３４で位置決め保持できるようになっている。また、このようにコネクタ１０を位置決め保持した状態で、そのコネクタ１０の挿入方向に沿ってさらに奥に押込むことで、コネクタホルダ部３０は初期セット位置から検査実行位置に移動可能とされている。
【００２９】
また、上記凹部４２ａの側面に規制突部４２ｃがそれぞれ形成されると共に、コネクタホルダ部３０の両側部にその移動方向に沿って長い規制溝３０ｃがそれぞれ形成されている。そして、各規制突部４２ｃが規制溝３０ｃ内を移動することで、コネクタホルダ部３０の移動範囲、特に、コネクタホルダ部３０が突出方向側に移動して抜出さないように移動範囲を規制している。
【００３０】
また、コネクタホルダ部３０の両ガイド側部３２とガイド凹部４２ｂとの間に、コイルバネ４３が圧縮状態で介在配置されている。このコイルバネ４３は、コネクタホルダ部３０を初期セット位置に向けて付勢する付勢部材として機能する。
【００３１】
また、治具本体４０には、コネクタホルダ部３０を検査実行位置にてロックする部材として、ホルダロック部４８が設けられている。より具体的には、治具本体４０の上部幅方向略中央部に、コネクタホルダ部３０の移動方向に沿って延びる凹溝部４８ｇが形成されており、その凹溝部４８ｇ内にホルダロック部４８が設けられている。ホルダロック部４８は、長尺状に形成されており、その一端部に内向きに突出する係合突部４８ａが形成されると共に、その他端部に外向きに突出する操作部４８ｂが形成されている。そして、係合突部４８ａを治具本体４０の一端側に突出させると共に、操作部４８ｂを治具本体４０の後端部上方で上下動可能に配設した姿勢で、ホルダロック部４８の長尺方向略中央部が凹溝部４８ｇ内で支軸４８ｃを介して揺動可能に支持されている。このホルダロック部４８は、係合突部４８ａを内方に移動させることで当該係合突部４８ａをコネクタホルダ部３０の一端部に係合させたホルダロック姿勢と、操作部４８ｂを下方に押圧すると共に係合突部４８ａを外方に移動させることで当該係合突部４８ａをコネクタホルダ部３０の上面に接触させたホルダ非ロック姿勢との間で揺動可能とされている。ホルダロック姿勢では、ホルダロック部４８は、コネクタホルダ部３０だけに係合し、コネクタ１０には係合しないようになっている。また、凹溝部４８ｇ内で、当該凹溝部４８ｇの底面とホルダロック部４８の操作部４８ｂの反対側面との間に、コイルバネ４９が圧縮状に介在配置されている。このコイルバネ４９は、上記ホルダロック部４８をホルダロック姿勢に向けて付勢する付勢部材として機能する。
【００３２】
すなわち、ホルダロック部４８は、コイルバネ４９により、ホルダロック姿勢に向けて常時付勢されている。コイルホルダ部３０が検査実行位置の手前にある状態では、係合突部４８ａの先端部はコネクタホルダ部３０の上面に摺接してホルダ非ロック姿勢にある状態が維持される（図５及び図７参照）。コイルホルダ部３０が検査実行位置に押込まれると、係合突部４８ａの先端部がコネクタホルダ部３０の上面を越え、コイルバネ４９の付勢力により、ホルダロック部４８はホルダロック姿勢に姿勢変更する。これにより、係合突部４８ａの先端部がコネクタホルダ部３０の一端部に係合して、当該コネクタホルダ部３０を検査実行位置にて保持する。また、この状態で、操作部４８ｂを押込操作すると、ホルダロック部４８がホルダ非ロック姿勢に姿勢変更し、コネクタホルダ部３０は検査実行位置から初期セット位置に向けて移動可能になる。
【００３３】
また、上記コネクタホルダ部３０には、検査実行位置に達する位置よりも初期セット位置側の手前で、コネクタ受部３４に位置決め保持されたコネクタ１０に抜止め状に係合するロック部３６が設けられている。
【００３４】
より具体的には、コネクタホルダ部３０の一端側両側部に、ロック部３６を支持する支持凹部３５がそれぞれ形成されている。ロック部３６は、前記支持凹部３５から突出する程度の長尺状部材であり、その先端部に内向きに突出する係止突部３６ａが形成されている。このロック部３６は、その基端部を上記支持凹部３５の軸部３５ａで回転自在に支持することで、上記コネクタ受部３４に位置決め保持されたコネクタ１０に係合可能な係合姿勢（図１〜図３、図６及び図７参照）と、その係合を解除した非係合姿勢（図４及び図５参照）との間で姿勢変更可能に支持されている。ここで、係合姿勢では、ロック部３６は、コネクタホルダ部３０の移動方向に沿って延在すると共に、その係止突部３６ａをコネクタ受部３４の開口一側部前方に位置させることで、コネクタ受部３４に位置決め保持されたコネクタ１０に抜止め状に係合している。また、非係合姿勢では、ロック部３６は、軸部３５ａ周りに回転して、係止突部３６ａをコネクタ受部３４の開口から外側方に退避させた姿勢となっており、コネクタ受部３４に対するコネクタ１０の挿脱を許容している。
【００３５】
また、各ロック部３６の外面は、上記係合姿勢でホルダスライド支持部４２の凹部４２ａの両側面に沿って延びると共に、上記非係合姿勢で凹部４２ａの両側面に対してコネクタホルダ部３０の移動方向初期セット位置側に向けて外向き傾斜するようになっている。さらに、各ロック部３６の基端部と支持凹部３５との間であって軸部３５ａの内側にコイルバネ３７が圧縮状態で介在配置されている。このコイルバネ３７は、ロック部３６を係合姿勢から非係合姿勢に向けて付勢する付勢部材として機能している。
【００３６】
そして、コネクタホルダ部３０を初期セット位置に移動させた状態では、コイルバネ３７の付勢力によって各ロック部３６が係合位置から非係合位置に向けて姿勢変更している。また、この状態で、コネクタホルダ部３０を検査実行位置に向けて移動させると、その移動動作に連動して、各ロック部３６の外面がホルダスライド支持部４２の凹部４２ａの両側面に接触し、各ロック部３６が内側に向けて姿勢変更する。これにより、コネクタホルダ部３０が検査実行位置に達する手前で、各ロック部３６が係合姿勢に姿勢変更するようになっている。
【００３７】
また、コネクタ１０がコネクタ受部３４に不完全挿入された状態で、コネクタホルダ部３０を初期セット位置から検査実行位置に移動させようとすると、ロック部３６の先端部が不完全挿入状態のコネクタ１０の側部に当接し、係合姿勢への姿勢変更が妨げられる。これにより、ロック部３６の外側面がホルダスライド支持部４２の凹部４２ａの両側面に干渉し、コネクタホルダ部３０が検査実行位置に移動する動作が妨げられるようになっている。
【００３８】
検査部５０は、コネクタホルダ部３０が検査実行位置に移動した状態で、コネクタ受部３４で位置決め保持されたコネクタ１０に対して所定の検査を行うためのものである。より具体的には、検査部５０は、検査実行位置に移動したコネクタホルダ部３０のコネクタ受部３４に保持されたコネクタ１０と対向する位置で、治具本体４０の検査部収納部４４で保持されている。また、検査部５０は、コネクタ１０の端子に電気的に接続可能なプローブピン５２を複数有している。各プローブピン５２は、コネクタホルダ部３０に向けて突出しており、それぞれ端子に電気的に接続可能に構成されると共に、コネクタホルダ部３０のうちコネクタ受部３４に対応する部分に形成された貫通孔を通じて当該コネクタ受部３４の底部を貫通可能とされている。コネクタホルダ部３０のうちコネクタ受部３４に対応する部分に形成された貫通孔は、各プローブピン５２毎に別々に形成された孔であってもよいし、各プローブピン５２に対して共通に形成された孔であってもよい。そして、コネクタホルダ部３０が検査実行位置に移動すると、各プローブピン５２がコネクタ受部３４の底部に突出又は露出し、当該コネクタ受部３４に位置決め保持されたコネクタ１０の端子に電気的に接続可能に構成されている。また、各プローブピン５２は、図示省略の配線を介して外部に引出され、外部の導通検査装置に接続されている。そして、導通検査装置によって、各プローブピン５２を通じて、各端子の導通検査がなされるようになっている。
【００３９】
このように構成されたコネクタ検査用ホルダ装置の動作について説明する。
【００４０】
まず、初期状態では、図４及び図５に示すように、コネクタホルダ部３０は初期セット位置に位置している。また、両ロック部３６は非係合姿勢で、かつ、ホルダロック部４８はホルダ非ロック姿勢である。
【００４１】
この状態で、作業者が検査対象として想定されたコネクタ１０を持って、コネクタ受部３４に挿入すると、当該コネクタ１０のほぼ全体がコネクタ受部３４内に挿入される。
【００４２】
続いて、コイルバネ４３の付勢力に抗してコネクタ１０と共にコネクタホルダ部３０を検査実行位置に向けて押込む。すると、図６及び図７に示すように、その押込途中で、両ロック部３６の外面がホルダスライド支持部４２の凹部４２ａの両側面に接触し、コイルバネ３７の付勢力に抗して各ロック部３６が係合姿勢に向けて姿勢変更する。そして、コネクタホルダ部３０が検査実行位置に達する手前で、両ロック部３６が、係合姿勢に完全に姿勢変更し、コネクタホルダ部３０内のコネクタ１０に対して抜止め状に係合する。ここで、端子がプローブピン５２に接触するよりも手前で、両ロック部３６が、係合姿勢に完全に姿勢変更することが好ましい。コネクタ１０がコネクタ受部３４内でしっかりと保持された状態で、端子とプローブピン５２とを接続するようにするためである。
【００４３】
なお、異なる形状のコネクタ１０を当該コネクタ受部３４に挿入しようとすると、当該異なる形状のコネクタ１０がコネクタ受部３４の内周面に干渉し、その全体をコネクタ受部３４内に完全に挿入することはできない。このため、ロック部３６の係止突部３６ａがコネクタ側面に当接し、係合姿勢への姿勢変更が妨げられる。すると、ロック部３６とホルダスライド支持部４２との干渉により、コネクタホルダ部３０を検査実行位置に向けて移動させることができない。
【００４４】
そして、コネクタホルダ部３０が検査実行位置に移動すると、コネクタ１０は検査位置に配設され、各端子とこれに対応するプローブピン５２との接続がなされた状態となる。また、コネクタホルダ部３０が検査実行位置に達した状態で、ホルダロック部４８は、コイルバネ３７の付勢力によりホルダロック姿勢に姿勢変更し、その係合突部４８ａがコネクタホルダ部３０の一端部に係合して、当該コネクタホルダ部３０を検査実行位置にて保持する。ホルダロック部４８がコネクタホルダ部３０に係合する際、当該ホルダロック部４８はコネクタホルダ部３０の一端部だけに係合し、コネクタ１０には係合しないので、コネクタホルダ部３０の係合による衝撃がコネクタ１０に直接的に加わるのを防止しつつ、端子とプローブピン５２との接続を行える。
【００４５】
この状態で、導通検査装置による各端子の導通検査が行われる。
【００４６】
この後、コイルバネ４９の付勢力に抗してホルダロック部４８の操作部４８ｂを押込むと、ホルダロック部４８は、ホルダ非ロック姿勢に姿勢変更する。これにより、コネクタホルダ部３０は、検査実行位置から初期セット位置に向けて移動可能な状態となり、コイルバネ４３の付勢力により初期セット位置に向けて移動する。また、コネクタホルダ部３０が初期セット位置に向けて移動する際に、コネクタホルダ部３０がホルダスライド支持部４２の凹部４２ａからある程度突出し、各ロック部３６を係合姿勢に向けて押す力が解除され、コイルバネ３７の付勢力により各ロック部３６は非係合姿勢に姿勢変更する。つまり、ホルダロック部４８のロック解除操作により各ロック部３６の係合をも解除できる。これにより、本コネクタ検査用ホルダ装置２０は、上記初期状態に復帰し、コネクタ１０をコネクタ受部３４から取り外し、続けて次のコネクタ１０の検査を実行できる。
【００４７】
以上のように構成されたコネクタ検査用ホルダ装置２０によると、コネクタ１０を、初期セット位置にあるコネクタホルダ部３０に挿入してコネクタ受部３４で位置決め保持し、この状態で、コネクタホルダ部３０を初期セット位置から検査実行位置に移動させることで、コネクタ１０を、検査部５０を通じた検査を実行できる検査位置に位置決め保持することができる。このため、コネクタ１０を、コネクタホルダ部３０によって精度よくガイドしつつ挿入して所定の検査位置に位置決め保持することができ、コネクタ１０の端子と検査部５０とを位置精度よく配設することができ、端子や検査部５０に対する損傷を有効に防止することができる。
【００４８】
具体的には、コネクタ１０を、コネクタホルダ部３０によって精度よくガイドしつつ、端子とプローブピン５２とを接続することができ、端子やプローブピン５２の損傷を有効に防止できる。
【００４９】
また、コネクタ１０がコネクタ受部３４でロック部３６により抜止め状に保持された状態で、コネクタホルダ部３０が検査実行位置に達する。このため、コネクタ１０がより精度よくコネクタホルダ部３０に対して一定位置及び一定姿勢に保たれた状態で、検査位置に移動することになる。従って、端子や検査部５０に対する損傷をより有効に防止できる。
【００５０】
また、コネクタホルダ部３０が初期セット位置から検査実行位置に移動する動作に連動して、ロック部３６が係合姿勢に姿勢変更してコネクタ１０を位置決め保持しているので、コネクタ１０又はコネクタホルダ部３０を押して、コネクタホルダ部３０を移動させることで、ロック部３６によりコネクタ１０を位置決め保持することができ、容易かつ作業性よくコネクタをロックできる。
【００５１】
もっとも、ロック部３６は、コネクタ１０をコネクタ受部３４にセットする際に当該コネクタ１０が挿入される動作に連動して当該コネクタ１０に係合して位置決め保持する構成であってもよい。
【００５２】
また、想定されたものとは異なる形状のコネクタ１０が挿入された場合等、コネクタ１０がコネクタ受部３４に不完全挿入状態であると、ロック部３６が係合姿勢に姿勢変更不能となるため、コネクタホルダ部３０が検査実行位置に移動する動作が妨げられる。このため、コネクタ１０が不完全挿入状態のままで、コネクタホルダ部３０が検査実行位置に移動することが抑制され、端子や検査部に対する損傷をより確実に防止できると共に、異なる形状のコネクタ１０をも認識できる。
【００５３】
また、ホルダロック部４８により、コネクタホルダ部３０を検査実行位置に保持した状態で、コネクタ１０の検査を行える。このホルダロック部４８はコネクタ１０には係合しないので、ホルダロック部４８の係合時の衝撃がコネクタ１０に直接的に加わり難く、端子や検査部５０に対する損傷をより確実に防止することができる。
【００５４】
なお、本実施形態では、コネクタホルダ部３０は、初期セット位置で治具本体４０より突出しており、検査実行位置で治具本体４０の一端部側の面と面一状になるが必ずしもその必要はない。
【００５５】
例えば、コネクタホルダ部３０は、初期セット位置で治具本体４０の一端部側の面と面一状になり、検査実行位置で治具本体４０の一端側の面より奥に凹む位置に配設される構成であってもよい。
【図面の簡単な説明】
【００５６】
【図１】実施形態に係るコネクタ検査用ホルダ装置を示す斜視図である。
【図２】図１のＩＩ−ＩＩ線における一部断面図である。
【図３】図２のＩＩＩ−ＩＩＩ線における一部断面図である。
【図４】コネクタ検査用ホルダ装置の動作を示す一部断面図である。
【図５】コネクタ検査用ホルダ装置の動作を示す一部断面図である。
【図６】コネクタ検査用ホルダ装置の動作を示す一部断面図である。
【図７】コネクタ検査用ホルダ装置の動作を示す一部断面図である。
【符号の説明】
【００５７】
１０  コネクタ
２０  コネクタ検査用ホルダ装置
３０  コイルホルダ部
３４  コネクタ受部
３６  ロック部
３６ａ  係止突部
３７  コイルバネ
４０  治具本体
４２  ホルダスライド支持部
４３  コイルバネ
４８  ホルダロック部
５０  検査部
５２  プローブピン
【図１】
2008311004.tif 000003
【図２】
2008311004.tif 000004
【図３】
2008311004.tif 000005
【図４】
2008311004.tif 000006
【図５】
2008311004.tif 000007
【図６】
2008311004.tif 000008
【図７】
2008311004.tif 000009